(57)【特許請求の範囲】
【請求項１】
水害時に人が避難するためのシェルターであって、
内部に多数の人を収容し得る中空な空間を有する平面視略長方形の収容部と、
該収容部の底面に、該収容部の長手方向に沿って略平行に設けられた、該底面と設置面とを離間するための一対の脚部と、を備えており、
該一対の脚部は、
該一対の脚部間に隙間を形成するように互いに間隔をあけて設けられており、
前記収容部は、
短尺側壁が、前記一対の脚部間に位置する前記収容部の底面に向かって下傾し、かつ該底面と連続する面となるように形成されている
ことを特徴とする浮上型水害シェルター。
【請求項２】
前記収容部は、
胴体部と、該胴体部の上方に設けられた屋根部と、を備えており、
該屋根部は、
略平坦な上面を有する略接頭四角錐状に形成されている
ことを特徴とする請求項１記載の浮上型水害シェルター。
【請求項３】
前記収容部は、
その内部が外部から液密に遮断された箱状の構造を有しており、
前記胴体部には、
内部と外部を連通する開口部と、
該開口部を開閉するハッチと、が設けられており、
該ハッチを閉じると、内部を外部から液密に遮断するシール機構が設けられている
ことを特徴とする請求項２記載の浮上型水害シェルター。
【請求項４】
前記収容部は、
その内部が外部から液密に遮断された箱状の構造を有しており、
前記屋根部には、
内部と外部を連通する開口部と、
該開口部を開閉するハッチと、が設けられており、
該ハッチを閉じると、内部を外部から液密に遮断するシール機構が設けられている
ことを特徴とする請求項２記載の浮上型水害シェルター。
【発明の詳細な説明】
【技術分野】
【０００１】
本発明は、浮上型水害シェルターに関する。さらに詳しくは、地震等により発生した津波などの水害が襲来した際に内部に人を収容し、かつ浮上して水害を回避することができる構造を有する浮上型水害シェルターに関する。
【背景技術】
【０００２】
近年、世界の各地において巨大地震が頻発するようになってきている。巨大地震のうちとくに海底で起こる海溝型地震は、巨大な津波を引き起こす。
日本においては、太平洋沿岸部が、海溝型地震が発生する可能性がある帯状部分に沿って存在している。この帯状部分では、一の小さな地震が発生することによって他の地震を誘発することにより、結果的に巨大な地震が発生する可能性がある。つまり、日本の太平洋沿岸部では、常に巨大な津波の危機にさらされているというのが実情である。
【０００３】
津波は、押し波によって地上の建造物を破壊したり地上の物（人や車など）を波に飲み、これらを引き波によって海に引き込む。しかも、津波は、その高さが高くなるにつれて進行方向の動きが大きくなるが、その高さが、高さが３０ｃｍ程度の場合であっても、人を
波に飲み込むだけのエネルギーを有している。また、沿岸部近くで発生した津波の到達速度は、地震発生時から数十分以内（例えば、約５分〜約３０分の間）に第１波が到達すると言われている。しかも、津波は、その高さの数倍の海抜の高さの内陸まで遡上するとも言われている。
【０００４】
したがって、地震が発生した場合には、沿岸部の人たちのみならず、沿岸部に接しており海抜がそれほど高くない地域の人は、津波が襲来することを予想して、短時間の間にできるだけ高い高台などに避難する必要がある。
しかし、高齢者や病院等などに入院中の患者、保育園や小学校等にいる小さな子供達などは、短時間のうちに自力で海岸などから遠くの高台等に避難することは困難であり、しかも、その数が多くなればなるほど避難に要する時間が長くなるといった、問題が生じている。
また、近くに高台がない場合には、高齢者や子供、病人などの弱者のみならず、大人であっても短時間のうちに津波の襲来から逃れることが難しくなる。
【０００５】
かかる短時間の間に、複数の人を、津波に飲み込まれることなく、かつ津波の引き波によっても海に引き込まれるのを防止する技術が提案されている（例えば特許文献１〜５）。
【０００６】
特許文献１には、一対のガイド支柱の長手方向に沿って上下にスライド可能なコンテナ型のシェルターが開示されている。コンテナ型のシェルターは、その入り口扉を閉じた状態においてコンテナ型のシェルターの内部空間を密閉可能な状態に維持できる旨の記載がある。
【０００７】
特許文献２には、内部に中空な空間を有する環状のシェルターと、このシェルターの貫通穴に挿通されたポール部材が開示されている。そして、環状のシェルターの底部には、複数のフィンが設けられているので、環状のシェルターが水に浮いた状態において、水の抵抗を小さくすることができ、しかも、漂流物を回避することができる旨が記載されている。
【０００８】
特許文献３では、大人数を収容することができる船型のシェルターが開示されている。このシェルターは、水に浮いた状態において、かかるシェルターが流されないように地面に立設したポールに係留されているものである旨が記載されている。
【０００９】
特許文献４および５では、シェルターの内部の下方に浮力室を有し、この浮力室の上方に人を収容するための避難室を有し、避難室には常時開放された一対の開口部を有する球体状のシェルターが開示されている。また、球体状のシェルターが水面に浮いた状態において、一定の範囲からシェルターが離脱しないためのひも状の連結部材（連結索）を設けた構造や、シェルターの安定性を制御するための舵、方向安定板や揺動抑止板等を設けた構造が開示されている。また、これらの文献には、平常時では人が集まりやすい公園等に球体状のシェルターを配置することにより、緊急時に多くの人命をシェルター内部の空間に収容できる旨が記載されている。
【先行技術文献】
【特許文献】
【００１０】
【特許文献１】特開２０１１−１０６１４２号公報
【特許文献２】特開２００８−１７４９４９号公報
【特許文献３】特開２００６−１９３１３３号公報
【特許文献４】特開２００８−７４３８５号公報
【特許文献５】特開２００６−２２６０９９号公報
【発明の概要】
【発明が解決しようとする課題】
【００１１】
しかしながら、特許文献１〜２には、人が津波から避難するためのシェルターが記載されているものの、かかるシェルターの具体的な構成は全く記載されていない。
【００１２】
また、特許文献３のシェルターでは、あくまで船を地上に設置しただけにすぎない技術であり、特許文献４および５では、あくまで球体状のシェルターが開示されているにすぎず、収容できる人数も１５人程度にすぎない。
【００１３】
上述した技術はいずれも、複数の人を津波から守るためのシェルターに係るアイデアは記載されているものの、これらのシェルターを具現化するための具体的な構成や技術は全く開示されていない。しかも、上述した特許文献では、収容することができる人数はせいぜい十数人程度であり、百人規模の人を収容して、津波から守ることができるシェルターを実現化するための具体的な構成はなんら開示されていない。
【００１４】
以上のごとき事情もあり、津波が発生したときに、百人規模の人を確実に収容することができ、津波に飲み込まれることなく、かつ津波の引き波によっても海に引き込まれるのを防止することができる実現可能な構造を有するシェルターの開発が望まれている。とくに病院等においてベッドが必要な病人や老人なども速やかに収容することができるシェルターの開発が望まれている。
【００１５】
本発明は上記事情に鑑み、百人規模の病人や老人、子供などの弱者を短時間に確実に収容することができ、かかる人たちを収容した状態において、津波に飲み込まれることなく、かつ津波の引き波によっても海に引き込まれるのを防止することができるシェルターを提供することを目的とする。
【課題を解決するための手段】
【００１６】
第１発明の浮上型水害シェルターは、水害時に人が避難するためのシェルターであって、内部に多数の人を収容し得る中空な空間を有する平面視略長方形の収容部と、該収容部の底面に、該収容部の長手方向に沿って略平行に設けられた、該底面と設置面とを離間するための一対の脚部と、を備えており、該一対の脚部は、該一対の脚部間に隙間を形成するように互いに間隔をあけて設けられており、前記収容部は、短尺側壁が、前記一対の脚部間に位置する前記収容部の底面に向かって下傾し、かつ該底面と連続する面となるように形成されていることを特徴とする。
第２発明の浮上型水害シェルターは、第１発明において、前記収容部は、胴体部と、該胴体部の上方に設けられた屋根部と、を備えており、該屋根部は、略平坦な上面を有する略接頭四角錐状に形成されていることを特徴とする。
第３発明の浮上型水害シェルターは、第２発明において、前記収容部は、その内部が外部から液密に遮断された箱状の構造を有しており、前記胴体部には、内部と外部を連通する開口部と、該開口部を開閉するハッチと、が設けられており、該ハッチを閉じると、内部を外部から液密に遮断するシール機構が設けられていることを特徴とする。
第４発明の浮上型水害シェルターは、第２発明において、前記収容部は、その内部が外部から液密に遮断された箱状の構造を有しており、前記屋根部には、内部と外部を連通する開口部と、該開口部を開閉するハッチと、が設けられており、該ハッチを閉じると、内部を外部から液密に遮断するシール機構が設けられていることを特徴とする。
【発明の効果】
【００１７】
第１発明によれば、収容部内に形成された中空な空間内に多数の人を収容することができる。例えば、収容部を鋼製で形成すれば、強度を高くできるので、寸法を長さ約２０ｍ、幅約８ｍ、高さ約３ｍに形成することができる。すると、内部に収容可能な人数も数百人（例えば１００〜３００人）程度収容することができる。また、津波などが襲来した際の衝撃を少なくし、かつ安定した状態でスムースにシェルターを浮上させることができる。このため、水害時において、本発明の浮上型水害シェルターを水面に浮かせることによって水害を回避することができる。しかも、収容部の内空間に、水、毛布、蓄電池、医療器具、薬、食料等の多数の防災品などを備蓄すれば、津波などの水害の水が引いたのち、災害前と同じ人たちとコミュニティを維持することができるのでるので、被災者の精神を安定させることができる。
第２発明によれば、屋根部の上面が略平坦に形成されているので、緊急時では災害ヘリのヘリポートに使用することができる。しかも、屋根部は、略接頭角錐状に形成されているので、屋根部まで襲来するような水害（例えば、波高が屋根部の高さと同等またはそれ以上あるような津波）の場合、かかる水の力を側面の傾斜に沿って逃がすことができる。すると、本発明の浮上型水害シェルターに加わる津波の衝撃を小さくできるので、内部に収容した人をより安全に想定外の水害から保護することができる。さらに、その側面の傾斜面が車等が登れる程度の角度に形成されていれば、通常時では、駐車場や駐輪場などに使用することが可能であるので、本発明の浮上型水害シェルターを緊急時のみならず、通常時でも有効に利用することができる。
第３発明によれば、収容部の胴体部に形成された内部と外部を連通する開口部には、ハッチが設けられているので、人がかかる開口部を通って出入することができる。しかも、ハッチを閉じると、内部を外部から液密に遮断するシール機構が設けられているので、水害によって水が内部へ侵入するのを防止できる。さらに、開口部の間口幅をベッド等が通過可能な大きさに形成すれば、一度に大人数の人が、この開口部から開口部を通って内部に避難することができる。そして、要介護者（病人、高齢者、子供）も速やかに内部に避難することができるし、ベッドのままでも開口部を通って内部に避難させることができる。すると、病院や老人施設、保育園、小学校など多くの要介護者がいる場合、短い時間内で確実に本発明の浮上型水害シェルター内に避難することができる。
第４発明によれば、収容部の屋根部に形成された内部と外部を連通する開口部には、ハッチが設けられているので、人がかかる開口部を通って出入することができる。また、ハッチを閉じると、内部を外部から液密に遮断するシール機構が設けられているので、水害によって水が内部へ侵入するのを防止できる。しかも、このハッチは屋根部に設けられているので、水害によって水が内部へ侵入するのをより防止することができる。さらに、開口部の間口幅をベッド等が通過可能な大きさに形成すれば、一度に大人数の人が、この開口部から開口部を通って内部に避難することができる。そして、要介護者（病人、高齢者、子供）も速やかに内部に避難することができるし、ベッドのままでも開口部を通って内部に避難させることができる。すると、病院や老人施設、保育園、小学校など多くの要介護者がいる場合、短い時間内で確実に本発明の浮上型水害シェルター内に避難することができる。
【図面の簡単な説明】
【００１８】
【図１】本実施形態の浮上型水害シェルター１０１を地面ＧＬに設置した状態の概略説明図であり、（Ａ）は概略側面図であり、（Ｂ）は概略正面図であり、（Ｃ）は概略平面図である。
【図２】水害時において、本実施形態の浮上型水害シェルター１０１の挙動を説明した概略説明図である。
【図３】他の実施形態の浮上型水害シェルター２０１を地面ＧＬに設置した状態の概略説明図であり、（Ａ）は概略側面図であり、（Ｂ）は概略正面図であり、（Ｃ）は概略平面図である。
【図４】他の実施形態の浮上型水害シェルター２０１を使用している状況の概略説明図であり、（Ａ）は津波の波高が屋根部の上面近傍まで達した状況における浮上型水害シェルター２０１の状態を示した概略説明図であり、（Ｂ）は屋根部の上面近傍の津波を屋根部上面に沿って後方（図４では左から右へ）に逃がす状況を示した概略説明図であり、（Ｃ）はその後の浮上型水害シェルター２０１の挙動を示した概略説明図である。
【発明を実施するための形態】
【００１９】
本発明の浮上型水害シェルターは、津波や洪水などの水害時に百人規模の人を短時間に確実に収容部内に収容することができ、津波の水面の上昇に併せて収容部を浮かせる構成を有し、かかる状態によって津波に飲み込まれることなく、かつ津波の引き波によっても海に引き込まれるのを防止することによって津波を回避するタイプのシェルターであり、津波の水面が収容部の底面に到達した後、スムースに浮かせる構成を備えていることに特徴を有する。
【００２０】
なお、以下では、本発明の浮上型水害シェルターに津波が襲来した場合について説明するが、本発明の浮上型水害シェルターを使用することができる水害は津波に限定されず、例えば、台風などの高潮や集中豪雨などの洪水時の避難用シェルターとしても使用することができるのは言うまでもない。
また、本発明の浮上型水害シェルターは、通常、陸上（例えば地上）に設置して使用するものであるが、設置場所はとくに限定されない。例えば、病院や学校の敷地など多くの弱者が集う場所に設置すれば、より多くの人を水害から守ることができるので好ましい。
【００２１】
また、本明細書中では液密とは、完全に水が外部から内部に侵入するのを防止した状態だけでなく、略液密の状態を含む概念である。略液密の状態とは、日本鋼船工作法制度標準（JSQS）や日本海事協会（NK）に準拠した検査を満たすレベルの液密性を意味している。例えば、収容部に形成された開口部に設けられたハッチを閉じた状態において、外部からハッチに水をかけた程度では水が内部に侵入しない程度の液密性が保たれる状態が相当する。
【００２２】
つぎに、本発明の実施形態を図面に基づき説明する。
【００２３】
図１において、符号１０１は、本実施形態の浮上型水害シェルターを示しており、符号ＧＬは地面を示している。
図１に示すように、本実施形態の浮上型水害シェルター１０１は、内部に中空な空間（以下、収容空間102hという）を有する箱状の収容部１０２を備えた構造を有し、箱状の収容部１０２の底面110usには、一対の脚部１３０が設けられている。
【００２４】
（収容部１０２の説明）
図１に示すように、収容部１０２は、内部に中空な空間（以下、胴体部収容空間という）を有する胴体部１１０と、胴体部１１０の上方に設けられた屋根部１２０と、を備えている。つまり、胴体部１１０と屋根部１２０の両者の内部に形成された中空な空間によって上述した収容部１０２の内部の収容空間が形成されているのである。なお、収容部１０２内に形成された収容空間は、外部から液密に遮断された構造となっている。
【００２５】
（胴体部１１０について）
まず、胴体部１１０について、説明する。
胴体部１１０は、内部に中空な空間を有する箱状の部材であって、その内部には、上述したように収容部１０２の収容空間のうち胴体部１１０分の空間に相当する胴体部収容空間を形成している。この胴体部収容空間には、その内底部に床110FLが設けられている。床110FLは、その面積が数百人規模の人を収容できる大きさとなるように形成されている。言い換えれば、胴体部１１０は、その床110FL面積が数百人規模の人を収容できる大きさであれば、高さについてはとくに限定されない。つまり、胴体部１１０の高さが人の背丈よりも高い場合には、内部に収容した人の居住空間として胴体部収容空間だけを使用可能である。一方、胴体部１１０の高さが人の背丈よりも低い場合には、胴体部収容空間と後述する屋根部１２０の屋根部収容空間の両者を居住空間として使用することが可能となるように形成されている。
【００２６】
（胴体部１１０の形状について）
胴体部１１０は、内部に形成した胴体部収容空間内に多数の人を収容することができるものであれば、その形状は、略多角形状や平面視略正方形、平面視略長方形、変面視略円形など、とくに限定されない。具体的には、胴体部１１０は、内部に胴体部収容空間を有する長尺な略矩形状に形成することができる。
例えば、図１に示すように、胴体部１１０は、一対の長手方向の長尺な側壁110wa（以下、単に長尺側壁110waという）と、この一対の長尺側壁110wa間に設けられ、かつ両端間を連結する一対の短尺な側壁110wb（以下、単に短尺側壁110wbという）と、底壁と、から形成されている。そして、胴体部１１０がかかる形状に形成されている場合、内部の胴体部収容空間を胴体部１１０の形状と略相似形の略矩形状になるように形成してもよいが、その形状は、とくに限定されない。
【００２７】
（胴体部１１０の寸法について）
また、胴体部１１０の寸法は、上述したように内部の胴体部収容空間の床110FLの面積が数百人規模の人を収容できる大きさであれば、とくに限定されない。
【００２８】
例えば、胴体部収容空間だけを居住空間として使用可能な場合について説明する。
図１に示すように、胴体部１１０は、長尺な略矩形状に形成されている場合、その寸法が、その長手方向の長さ（図１（Ａ）では、長尺側壁110waの左右方向の距離）が約２０ｍ、その幅方向の長さ（図１（Ｂ）では、短尺側壁110wbの左右方向の距離）が約８ｍ、その高さ（図１（Ａ）では、長尺側壁110waの上下方向の距離、図１（Ｂ）では、底壁の内底面110usから長尺側壁110waの上端縁までの距離）が約３ｍとなるように形成されている。かかる場合、内部の胴体部収容空間は、一対の短尺側壁110wbの内壁間距離（長手方向の長さ）が約１７ｍ、一対の長尺側壁110waの内壁間距離（幅方向の長さ）が約７ｍ、高さ（内底面から側壁上端縁までの距離）が約２ｍとなるように形成できるので、床110FL面積を約１１９ｍ２となるように形成できる。この場合、胴体部収容空間内だけを居住空間として使用することが可能である。
【００２９】
（屋根部１２０について）
つぎに、屋根部１２０について、説明する。
屋根部１２０は、胴体部１１０の上方に設けられた内部に中空な空間を有する箱状の部材である。
【００３０】
屋根部１２０は、その内部に収容空間のうち胴体部収容空間に連通する屋根部分の空間（以下、屋根部収容空間という）を形成することができる形状であればよく、その形状はとくに限定されない。例えば、略多角形状や略接頭四角錐状、平面視略正方形、平面視略長方形、変面氏略円形などを採用することができる。
例えば、図１に示すように、屋根部１２０は、一対の長手方向の長尺な側壁120wa（以下、長尺屋根側壁120waという）と、この一対の長尺屋根側壁120wa間に設けられ、かつ両端間に連結した一対の短尺な側壁120wb（以下、短尺屋根側壁120wbという）と、一対の長尺屋根側壁120waと一対の短尺屋根側壁120wbの上端縁を覆うように設けられた天井壁120TSと、から形成されている。そして、天井に連結するように設けられた各側壁は、外方に向かって下傾するように形成されており、屋根部１２０を胴体部１１０に取り付けたときに、下端部が上述した胴体部１１０の各側壁の上端部と接するように形成されている。つまり、屋根部１２０は、断面略台形状に形成された略接頭四角錐状に形成することができる。
【００３１】
（ハッチ１１５の説明）
収容部１０２の胴体部１１０の側壁および／または屋根部１２０の側壁には、上述したように外部から胴体部収容空間内に人が出入可能な開口部が形成されている。この開口部には、開口部を開閉するためのハッチ１１５が設けられている。ハッチ１１５は、閉じた状態において外部から液密に遮断できる構造であれば、とくに限定されない。例えば、ハッチ１１５は、開口部の内径と略相似形であって、その大きさが開口部の内径よりもやや大きくなるように形成されている。
【００３２】
例えば、図１（Ａ）および（Ｂ）に示すように、胴体部１１０の高さが収容部１０２全体の高さに対して約７割の場合、外部から胴体部収容空間内に人が入り易いように、胴体部１１０の短尺側壁110wbに平面視略略長方形の開口部を形成すること、が好ましい。そして、この開口部には、開口部の周囲を覆うように開閉することができる揺動可能なハッチ１１５を設ける。例えば、ハッチ１１５の基端部を連結手段によって開口部の下端縁に連結し、開閉機構によってこの基端部を支点として先端部が上下方向に揺動可能となるようにする。つまり、ハッチ１１５の基端部を支点として先端部を上下方向に揺動させることによって、ハッチ１１５を開閉することができるようにする。言い換えれば、ハッチ１１５の先端部を下げることによって、ハッチ１１５を開くことができるようにするのである。この場合、ハッチ１１５を開いたときに、ハッチ１１５の先端部と地面ＧＬが接するように配置すれば、このハッチ１１５の内面を橋桁の替りに使用して人が内部に避難することができる。
【００３３】
なお、ハッチは、上述したように先端部を下げることによってハッチ１１５を開く構造とは逆の構造、つまり、先端部を持ち上げることによってハッチを開く構造を採用してもよい。例えば、図３（Ａ）に示すように、ハッチ２１５は、その基端部が連結手段によって開口部の上端縁に連結しているので、先端部を持ち上げることによってハッチを開くことができる。
【００３４】
また、ハッチを設けるための開口部は、人が開口部を通って収容部空間102h内に出入可能であれば、その数や形状または大きさなどもとくに限定されないのは、言うまでもない。また、開口部の間口幅をベッドが通過可能な大きさに形成すれば、ベッドのままでも開口部を通って内部に避難させることができる。
【００３５】
（脚部１３０の説明）
脚部１３０は、長尺な略板状の部材であって、その基端が胴体部１１０の底壁の底面110usに取り付けることができるように形成されている。
【００３６】
例えば、図１（Ｂ）に示すように、断面略二等辺三角形状に形成された長尺部材であれば、底辺側を基端として胴体部１１０の底面110usに取付けることができる。また、脚部１３０は、胴体部１１０の底面110usに取付けた状態において、浮上型水害シェルター１０１を地面ＧＬに設置したとき、浮上型水害シェルター１０１が、安定した状態で地面ＧＬ上に自立できるものであれば、その取り付け位置は、とくに限定されない。
【００３７】
例えば、図１（Ａ）および（Ｂ）に示すように、一対の脚部１３０、１３０は、それぞれ胴体部１１０の底面110usの両端部に、胴体部１１０の長手方向に沿って設けられている。より具体的には、胴体部１１０の寸法が、長手方向の長さが約２０ｍ、長手方向に直交する幅方向の長さが約７．５ｍ、高さが約２．８ｍである場合、脚部１３０の先端部（地面ＧＬに接する部分）から基部（底面110usに連結する部分）までの距離が約５００ｍｍ、基部の厚さが約１０００ｍｍ、一対の脚部１３０の内端面間の距離が約６ｍとなるように形成する。
【００３８】
以上のごとき構成であるので、図１に示すように、本実施形態の浮上型水害シェルター１０１を地面ＧＬに設置すれば、収容部１０２の胴体部１１０の底面110usに取り付けられた一対の脚部１３０、１３０によって、地面ＧＬと底面110usの間に隙間が形成されるように浮上型水害シェルター１０１を安定した状態で地面ＧＬ上に自立して配置させることができる。かかる状態において、胴体部１１０の短尺側壁110wbに形成された開口部に設けられたハッチ１１５を開けば、開口部を通って胴体部収容空間内に多数の人を収容することができる。
例えば、収容部１０２の寸法を、長手方向の長さが約２０ｍ、長手方向に直交する幅方向の長さが約８ｍ、高さが約３ｍの長尺な略矩形状に形成すれば、胴体部収容空間の床110FL面積を約１１９ｍ２に形成できるので、その収容空間102h内に約３００人の人を収容することができる。しかも、かかる大きさであれば、収容空間102h内に約１００人の人を収容した状態において、さらに胴体部収容空間の床110FL上に約１００床のベッドを並べることも可能である。
【００３９】
しかも、図１（Ｂ）に示すように、胴体部１１０は、その底面110usに一対の脚部１３０、１３０を有しているので、収容部１０２の底面110usを一対の脚部１３０、１３０によって地面ＧＬから離間させた状態に維持できる。かかる状態において、津波が襲来した場合、図２（Ａ）の上図および図２（Ｂ）の上図に示すように、襲来とほぼ同時に、一対の脚部１３０、１３０と底面110usで囲まれた空間（以下、底部空間という）に津波の水を容易に誘導することができる。そして、この底部空間に誘導された水の水面を、浮上型水害シェルター１０１の周囲に存在する水の水面とほぼ同じレベルで上昇させることができる。
【００４０】
図２（Ａ）の上図および図２（Ｂ）の上図に示すように、水面ＷＬが、一対の脚部１３０、１３０の基部（脚部１３０が胴体部１１０の底面110usに連結する部分）よりも下方に位置する場合には、胴体部１１０の底面110us全体が地面ＧＬに接触する場合に比べて抵抗をより小さくできるので、浮上型シェルター１０１を設置した安定した状態で維持することができる。しかも、脚部１３０の高さが約３００ｍｍに形成されているだけで、子供やお年寄りのみならず、大人であっても足をさらわれるおそれがある津波（地上から数約１５０ｍｍの高さの津波）を回避できるので、より安心して避難することができる。
一方、図２（Ａ）の下図および図２（Ｂ）の下図に示すように、水面ＷＬが一対の脚部１３０、１３０の基部よりも上方まで上昇すれば、胴体部１１０に対して浮力を発生させることができる。つまり、確実に浮上型水害シェルター１０１を水面ＷＬ浮かばせることできるのである。このため、胴体部１１０の底面110usのほぼ全体を地面ＧＬ等に接した状態で配置する場合に比べて、確実に浮上型水害シェルター１０１を浮かばせることできる。しかも、胴体部１１０の底面110usのほぼ全体を地面ＧＬ等に接して配置した状態から浮上する場合に比べて、浮上型水害シェルター１０１を浮上させる初期に急激な浮き上がり挙動を防止できるので、内部に収容（避難）している人が転倒等するのを防止でき、病人や子供等をより安全に津波から保護することができる。すると、津波が襲来したときに、浮上型水害シェルター１０１の周囲にいる人が数百人レベルであっても、ほぼ全員を浮上型水害シェルター１０１内に避難させることができ、かつ津波が襲来した状況において、浮上型水害シェルター１０１を水面に浮かばせることによって、津波から内部の人を保護することができる。
【００４１】
また、浮上型水害シェルター１０１を、上述した大きさに胴体部１１０を形成すれば、内部に収容した人が数日間暮らせるだけの水、毛布、蓄電池、医療器具、薬や食料等の多数の防災品などを備蓄することができる。すると、津波が引いた後では、浮上型水害シェルター１０１を避難所としてしても使用できる。また、浮上型水害シェルター１０１の胴体部１１０内の胴体部収容空間を複数の部屋に分割すれば、収容部１０２内の収容空間102h内を複数の人または家族が個人用の仮設住宅としても使用することができる。
【００４２】
また、図２（Ｂ）に示すように、浮上型水害シェルター１０１を水面ＷＬに浮上させた場合、浮上型水害シェルター１０１が流れないように胴体部１１０と地面などの間を連結するようなチェーンＣを設けておくのが好ましい。この場合、津波がさった後、浮上型水害シェルター１０１を設置場所周辺にとどまらせておくことができる。
【００４３】
（胴体部１１０の側壁構造について）
とくに、胴体部１１０を、その側壁が底面110usに向かって下傾した面を有する側壁を備えた構造とすれば、よりスムースに浮上型水害シェルター１０１を浮上させることができるので、好適である。
【００４４】
例えば、図１または図２に示すように、胴体部１１０は、その短尺側壁110wbをその上端部（つまり屋根部１２０との連結部）から下端部（つまり底面110usとの連結部）に向かって内方に傾斜するように形成している。つまり、短尺側壁110wbは、その上端部が下端部よりも外方に位置するように形成しており、かつ短尺側壁110wbと底面110usが連続するように形成している。そして、この短尺側壁110wbから連続した底面110usの両端部には、一対の脚部１３０、１３０が設けられている。このため、脚部１３０の高さよりも若干高い津波が襲来した場合、津波の水は、短尺側壁110wbに接触するが、短尺側壁110wbが底面110usに向かって下傾しているので、短尺側壁110wbの面に沿って短尺側壁110wbに接触した水を底部空間に迅速に誘導することができる。すると、ある程度の高さの波高を有する津波が襲来した場合であっても、その衝撃（波力）を分散させることができるので、内部の収容空間102h内への衝撃をより少なくすることができる。しかも、ある程度の波高の津波が襲来した場合でも、津波の水を迅速に底部空間に誘導できるので、よりスムースに浮上型水害シェルターを浮上させることができ、しかも浮上型水害シェルターを浮上させる際に収容部内にかかる衝撃（例えば、上下移動による上下加速度など）をより小さくできる。
言い換えれば、上記のごとき構造を有していれば、水面がゆっくりと上昇する津波（いわゆる、遠隔地津波）が襲来した場合、よりスムースに浮上型水害シェルター１０１を浮上させることができるという利点がある。
【００４５】
なお、浮上型水害シェルター１０１を形成する方法や素材などについては、とくに限定されないが、鋼製の板状鋼板を使用すれば、隣接する板状鋼板を溶接等によって液密性を保った構造とすることができる。とくに、かかる板状鋼板を用いた２層構造（いわゆるダブルハル構造）とすれば、より剛性を有する構造とすることができるので好適である。また、この２層構造とすれば、両者間に空間を形成することができるので、かかる空間を防水シート等で覆えば飲料水等を蓄えるタンクとしても使用できる。
【００４６】
また、胴体部１１０の底面110usに設けられる脚部１３０は、その本数はとくに限定されない。例えば、一対の脚部１３０、１３０を不連続に複数、収容部１１０の長手方向に沿って底面110usに取り付けてもよい。また、底面110usに複数本の脚部１３０を設けた構造であれば浮上型水害シェルター１０１をより安定して設置することができる。しかも、底面110usを地面ＧＬ等から離間した状態を維持できれば一本の脚部１３０を取り付けた構造を採用してもよい。例えば、胴体部１１０の一の端部底面と地面との間にブロックの配置し、他の胴体部１１０の一の端部底面に脚部１３０を設けてもよい。
【００４７】
さらになお、脚部１３０は、その内部に外部から液密に遮断された中空な空間を有する構造としてもよい。この場合、かかる空間に飲料水、食料品などの備品の他、排水を貯水するタンクとしても使用することが可能である。
【００４８】
また、開口部の間口幅をベッドが通過可能な大きさに形成すれば、一度に多くの人がかかる開口部を通って内部に避難することができ、かつベッドのままでも開口部を通って内部に避難させることができる。つまり、病人や高齢者、子供などの要介護者を迅速に内部に避難することができるのである。この場合、病院や老人施設、保育園、小学校など多くの要介護者がいる場合、短い時間内で確実に多くの要介護者を収容部１０２の収容空間102h内に避難させることができる。例えば、図１に示すように、胴体部１１０の短尺側面110wbの長手方向の長さ（図１（Ｂ）では、左右方向の距離）が約７．５ｍ、高さ（図１（Ｂ）では、上下方向の距離）が約２．８ｍの場合、開口部の開口幅を約３ｍ、高さ約２ｍとなるように形成すれば、よりスムースにベッドを内部へ搬入できる。
【００４９】
また、収容部１０２には、開口部に設けられたハッチ１１５を閉じると、開口部の内部を外部から液密に遮断するシール機構が設けられているのが好ましい。かかるシール機構を有する構造であれば、より収容空間102hを外部から液密に遮断した状態を維持できるので、開口部が水面よりも下方に位置する状態であっても内部に水が浸入する可能性が低くすることができる。
【００５０】
また、ハッチ１１５の先端部が地面ＧＬに接するようにハッチ１１５を開いた状態において、傾斜したハッチ１１５内面と床110FLが連続するように形成されていれば、避難する人が安全に内部に避難でき、ベッド等をよりスムースに収容空間102h内に搬入することができる。
【００５１】
なお、胴体部１１０の一対の短尺側面120wb、120wbに開口部をそれぞれ形成する場合、開口部が対向しない位置に形成されている、のが好ましい。この場合、開口部から内部に避難する人が互いに衝突しないので、スムースに両側の開口部から内部に避難することができる。
【００５２】
また、図１に示すように、屋根部１２０は、その天井壁120TSの上面が略平坦になるように形成されている、のが好ましい。この場合、この上面を緊急時における災害ヘリのヘリポート等に使用することができる。
【００５３】
（他の実施形態の浮上型水害シェルター２０１の説明）
上述した例では、胴体部が収容部の大部分を占める大きさ、例えば、胴体部の高さが収容部の約７割となるような大きさの場合について説明した。かかる構成を有する浮上型水害シェルター１０１は、胴体部１１０の胴体部収容空間を広くかつ使い勝手のよい空間に形成することができ、かつゆるやかに水面が上昇する津波（いわゆる遠隔地津波）などの場合によりスムースに浮上型水害シェルター１０１を浮上させることができるという、利点がある。
しかし、波高が高く、しかも波力も大きい津波の場合には、かかる構成を有する浮上型水害シェルター１０１では、津波の影響によって収容部１０２に激しい衝撃が加わるおそれがある。そこで、波高が高く、しかも波力も大きい津波が襲来した場合であっても、収容部内の収容空間内がより安定した状態で維持することができる構成を有する浮上型水害シェルター２０１について、以下説明する。
【００５４】
この浮上型水害シェルター２０１は、胴体部１１０が収容部１０１の大部分を占める構成とは逆に、屋根部２２０が収容部２０２の大部分を占める大きさである。そして、この屋根部２２０が収容部の大部分を占める構成の場合、ある程度の波高を有する津波が襲来した場合、一時的に、津波の水を受け流したのち、浮上型水害シェルター２０１を水面に浮かせることができるという点に特徴を有する。
【００５５】
この浮上型水害シェルター２０１は、一時的に、津波の水を受け流すための構成以外は、上述した浮上型水害シェルター１０１と実質的に同様の構成である。したがって、以下、上述した浮上型水害シェルター１０１と実質的に同様の構造を有する部分については割愛し、浮上型シェルター２０１に特徴的な津波の水を受け流すための構成について説明する。
【００５６】
図３に示すように、屋根部２２０は、上述した屋根部１２０と同様に略平坦な天井壁220TSの上面を有する略接四角錐状に形成されている。しかも、屋根部２２０は、その高さが収容部２０２全体に対して約７割となるように形成されている。つまり、浮上型水害シェルター２０１は、全体的に見て略接頭四角錐状に形成されているのである。
例えば、浮上型水害シェルター２０１は、脚部１３０の高さが約５００ｍｍ、胴体部２１０の高さが約１ｍ、屋根部２２０の高さが約２ｍとなるように形成すれば、屋根部２２０の高さを、収容部２０２全体の高さに対して約７割となるように形成できる。つまり、浮上型シェルター２０１は、上述した浮上型水害シェルター１０１の収容部１０２の高さに対する胴体部１１０の高さ割合が約７割となるように形成された場合と構成が異なり、収容部２０２高さに対する屋根部２２０の高さ割合が約７割となるように形成されているのである。
【００５７】
上記のごとき構造を有する浮上型水害シェルター２０１を地面ＧＬに設置した状態において、ある程度の波高を有する津波、例えば、水面が急激に上昇し、その波高がメートル（ｍ）単位の津波Ｔ（いわゆる近地津波）が襲来した場合について、図４に基づいて以下説明する。
【００５８】
図４（Ａ）に示すように、浮上型水害シェルター２０１を地面ＧＬに設置した状態で、一の側壁（短尺側壁210wbおよび短尺屋根側壁220wb）に対向する方向から津波Ｔが襲来する（図４（Ａ）では左から右方向に向かって）。そして、津波Ｔの先端部が浮上型水害シェルター２０１の胴体部２１０の短尺側壁210wbと屋根部２２０の短尺屋根側壁220wbの連結部に接触すると、この連結部よりも上方に位置する津波部分は、屋根部２２０の短尺屋根側壁220wbの上傾した傾斜面に沿って上方に誘導される（図４（Ｂ）では上方に向かった矢印）。そして、上方に誘導された水は、屋根部２２０の短尺屋根側壁220wbおよび天井壁220TSの上面に沿って他方の側（図４では津波Ｔが襲来する側とは反対の短尺屋根側壁220wb側）に向かって押し流される。一方、かかる連結部よりも下方に位置する津波部分は、胴体部２１０の短尺側壁210wbの底面210usに向かって下傾した傾斜面に沿って下方に誘導される（図４（Ｂ）では下方に向かった矢印）。そして、下方に誘導された水は、短尺側壁210wbおよび底面210us（とくに一対の脚部１３０間に形成された底部空間の底面210us）に沿って他方の側（図４では津波Ｔが襲来する側とは反対の短尺側壁210wb側）に向かって押し流される。
【００５９】
このため、図４に示すような高い波高を有する津波Ｔが襲来した場合であっても、津波Ｔの大部分を受け流すことができる。また、屋根部２２０上方に誘導した津波部分によって、一時的に屋根部２２０に対して鉛直方向への押圧力が加わるので、一時的に浮上型水害シェルター２０１が浮上するのを防止できる。言い換えれば、波力の強い津波が襲来した場合でも、浮上型水害シェルター２０１を地上に接した状態を維持することによって、その波力を受け流し流すことができるのである。そして、図４（Ｃ）に示すように、波高の高い津波Ｔが一旦去ったのち、自動的に屋根部２２０に対する鉛直方向の押圧力が解除されれば、スムースに浮上型水害シェルターを浮上させることができる。
【００６０】
つまり、浮上型水害シェルター２０１は、波高の高い津波Ｔが襲来した場合、地面ＧＬに設置した状態で津波Ｔの衝撃（波力）を受け流すとともに、一時的に、津波Ｔの一部を浮上型水害シェルター２０１の浮上防止に利用するのである。すると、浮上型水害シェルター２０１は、波高が高く、かつ波力の強い津波が襲来しても、かかる津波によって浮上型水害シェルター２０１に対して加えられる衝撃（例えば、上下移動による上下加速度など）をより確実に回避することができる。つまり、収容部２０２内の収容空間202h内に収容した人を安全かつ確実に津波から守ることができる。
【００６１】
なお、浮上型水害シェルター２０１は、胴体部２１０に内部と外部とを連通する開口部を形成し、この開口部に上述した浮上型水害シェルター１０１で説明したハッチ１１５と同様の構成を有するハッチ２１５を開口部に設けてもよいが、屋根部２２０に開口部を形成した構造を採用する、のが好ましい。なぜなら、図３に示すように、屋根部２２０が収容部２０２の大部分を占める大きであり、地上ＧＬから屋根部２２０までの距離がさほど高くなく、しかも屋根部２２０が略接頭四角錐状に形成されているので、胴体部２１０の短尺側面210wbに開口部を形成する場合に比べて、屋根部２２０の短尺屋根側壁220wbに開口部を形成するのが容易だからである。
【００６２】
また、図３に示すように、屋根部２２０の短尺屋根側壁220wbに開口部を形成し、この開口部にハッチ２１５を設けた場合、短尺屋根側壁220wbは、その傾斜が浮上型水害シェルター１０１の胴体部１０１の短尺側面110wbの傾斜とは全く逆の傾きの傾斜となる。このため、浮上型水害シェルター２０１の屋根部２２０の短尺屋根側壁220wbに形成された開口部に設けるハッチは、図３に示すようなハッチ２１５が好ましい。かかるハッチ２１５を採用すれば、ハッチ１１５を採用する場合に比べて先端部の移動距離を短くできるので、ハッチ２１５の開閉時間を短くできるので好ましい。
【００６３】
例えば、図３に示すように、ハッチ２１５は、その上端部が連結手段によって開口部の上端縁に連結されており、開閉機構によってこの上端部を支点として上下方向に揺動可能に設けられている。つまり、ハッチ２１５の上端部を支点として下端部を上下方向に揺動させることによって、ハッチ２１５を開閉することができるのである。
【００６４】
なお、図示しないが、屋根部２２０の他の側壁、例えば、長手方向に沿った長尺屋根側面220waに上記のごとき構造を有するハッチ２１５を設けた開口部を形成してもよい。この場合、短尺屋根側壁220wbに加えて長尺屋根側面220waにも避難口である開口部が形成されているので、外部の人をより迅速に収容空間202h内に収容することができる。
【００６５】
また、屋根部２２０の側壁の傾斜を車等が登れる程度の角度（例えば、３〜１０％勾配）に形成すれば、通常時では、駐車場や駐輪場などに使用することができる。すると、浮上型水害シェルター２０１を緊急時のみならず、通常時でも有効に利用することができる。
【００６６】
上述したように本発明の浮上型水害シェルターは、設置する場所において、襲来が予想される津波の種類（上述した例では、遠隔地津波または近地津波）に併せて、浮上型水害シェルター１０１、２０１を使用すれば、内部に収容した人をより安全に津波から保護することができる。
【産業上の利用可能性】
【００６７】
本発明の浮上型水害シェルターは、津波などの水害の際に人が避難するめのシェルターに適している。また、本発明の浮上型水害シェルターは、水害地域において、内部に装置や機材などを収容しておくことができるので、工場の建屋としても使用できる。
【符号の説明】
【００６８】
１０１      浮上型水害シェルター
１０２      収容部
１１０      胴体部
１１０ｕｓ  底面
１１５      ハッチ
１２０      屋根部
１３０      脚部
ＧＬ        地面
【図１】
0006009818.tif 000002
【図２】
0006009818.tif 000003
【図３】
0006009818.tif 000004
【図４】
0006009818.tif 000005